(57)【要約】【課題】建物や部屋などの施設の内部を、厳密に、セキュアな空間とすること。【解決手段】施設の出入口及び内部に存在する携帯端末の位置を検出する手段と、  施設の出入口及び内部に存在するユーザの位置を検出する手段と、  検出された携帯端末の位置と一致するユーザの位置が検出されない場合、携帯端末がユーザに携帯されていないとして、異常とする手段と、  検出された人の位置と一致する携帯端末の位置が検出されない場合、ユーザが携帯端末を携帯していないとして、異常とする手段と、  異常とした場合、ユーザの入退場を停止する手段とを備えることを特徴とする入場者管理システム。【選択図】図１
2005038269.tif 000002
【特許請求の範囲】
【請求項１】
施設の出入口及び内部に存在する携帯端末の位置を検出する手段と、
施設の出入口及び内部に存在するユーザの位置を検出する手段と、
検出された携帯端末の位置と一致するユーザの位置が検出されない場合、携帯端末がユーザに携帯されていないとして、異常とする手段と、
検出された人の位置と一致する携帯端末の位置が検出されない場合、ユーザが携帯端末を携帯していないとして、異常とする手段と、
異常とした場合、ユーザの入退場を停止する手段とを備えることを特徴とする入場者管理システム。
【請求項２】
施設の出入口に存在する携帯端末の個別ＩＤを検出する手段と、
登録ユーザリストを保管する手段と、
入場ユーザリストを保管する手段と、
入場しようとするユーザの携帯する携帯端末の個別ＩＤが、登録ユーザリストに登録されてない場合、入場資格の無いユーザが入場しようとしているとして、異常とする手段と、
入場しようとするユーザの携帯する携帯端末の個別ＩＤが、入場ユーザリストに登録されている場合、偽造された個別ＩＤを持つ携帯端末を携帯するユーザが入場しようとしているとして、異常とする手段と、
入場しようとするユーザの携帯する携帯端末の個別ＩＤが、登録ユーザリストに登録されており、かつ入場ユーザリストに登録されてない場合、入場しようとするユーザを入場させて、この個別ＩＤを入場者リストに登録する手段と、
退場しようとするユーザの携帯する携帯端末の個別ＩＤが、入場ユーザリストに登録されてない場合、出入口とは別のルートから入場したユーザが退場しようとしているとして、異常とする手段と、
退場しようとするユーザの携帯する携帯端末の個別ＩＤが、入場ユーザリストに登録されている場合、退場しようとするユーザを退場させて、この個別ＩＤを入場者リストから削除する手段とを備えることを特徴とする請求項１に記載の入場者管理システム。
【請求項３】
施設内部に存在する携帯端末の個別ＩＤを検出する手段と、
入場者ユーザリストに登録されていない携帯端末の個別ＩＤが検出された場合、出入口とは別のルートから入場したユーザが居るとして、異常とする手段とを備えることを特徴とする請求項２に記載の入場者管理システム。
【請求項４】
施設内部に存在する携帯端末の個別ＩＤを検出する手段と、
入場者ユーザリストに登録されている携帯端末の個別ＩＤが検出されない場合、不正な退場をしたユーザが居るとして、異常とする手段とを備えることを特徴とする請求項２に記載の入場者管理システム。
【発明の詳細な説明】
【技術分野】
【０００１】
本発明は、入場者管理システムに関する。
【背景技術】
【０００２】
従来から、建物や部屋などの施設では、その施設内部を利用することが容認されない者を排除し、その施設内部を利用することが容認される者のみが、その施設内部を利用できるようにするために、その施設の出入口で、その施設内部に入場しようとする者を認証して、認証に成功すれば、その施設の出入口が開くという入場者管理を行うことがある。
【０００３】
例えば、ビル内や各部屋の内部に入場する際、ＩＣカードをＩＣカード・リーダーにかざして、ＩＣカードの携帯者が予め登録されていると判断されると、出入口が開く（非特許文献１参照）。
【０００４】
また例えば、サーバルームなど特に高いセキュリティが要求される施設内部に入場する際には、指紋を照合して、予め登録されたものであると判断されると、出入口が開く。
【０００５】
尚、本明細書では、建物や部屋などの施設の内部を利用する者或は利用しようとする者をユーザと云い、ユーザの中で、その施設内部を利用することが容認される者を正規ユーザと呼び、その施設内部を利用することが容認されない者を不正ユーザと呼ぶことにする。また、建物や部屋などの施設の内部が、不正ユーザを排除し、正規ユーザのみに利用される空間である場合、この施設内部をセキュアな空間と呼ぶ。
【非特許文献１】“社員証”、［平成１５年６月２０日検索］、インターネット＜ＵＲＬ：http://www.toppan.co.jp/products+service/iccard/ic/solution/index.html＞
【発明の開示】
【発明が解決しようとする課題】
【０００６】
このような従来の入場者管理では、出入口以外の別ルートから入場する者を自動的には検出できない。
【０００７】
また、出入口が開いた隙に、複数の人が、認証を受けること無く、入場できてしまい、入場後の継続的な監視も自動的には行えない。
【０００８】
従って、従来の入場者管理では、建物や部屋などの施設の内部を、厳密に、セキュアな空間とすることができない。
【０００９】
本発明は斯かる従来技術の欠点に鑑みてなされたもので、建物や部屋などの施設の内部を、厳密に、セキュアな空間とすることを課題とする。
【課題を解決するための手段】
【００１０】
本発明において上記の課題を達成するために、まず請求項１の発明では、施設の出入口及び内部に存在する携帯端末の位置を検出する手段と、
施設の出入口及び内部に存在するユーザの位置を検出する手段と、
検出された携帯端末の位置と一致するユーザの位置が検出されない場合、携帯端末がユーザに携帯されていないとして、異常とする手段と、
検出された人の位置と一致する携帯端末の位置が検出されない場合、ユーザが携帯端末を携帯していないとして、異常とする手段と、
異常とした場合、ユーザの入退場を停止する手段とを備えることを特徴とする入場者管理システムとしたものである。
【００１１】
また請求項２の発明では、施設の出入口に存在する携帯端末の個別ＩＤを検出する手段と、
登録ユーザリストを保管する手段と、
入場ユーザリストを保管する手段と、
入場しようとするユーザの携帯する携帯端末の個別ＩＤが、登録ユーザリストに登録されてない場合、入場資格の無いユーザが入場しようとしているとして、異常とする手段と、
入場しようとするユーザの携帯する携帯端末の個別ＩＤが、入場ユーザリストに登録されている場合、偽造された個別ＩＤを持つ携帯端末を携帯するユーザが入場しようとしているとして、異常とする手段と、
入場しようとするユーザの携帯する携帯端末の個別ＩＤが、登録ユーザリストに登録されており、かつ入場ユーザリストに登録されてない場合、入場しようとするユーザを入場させて、この個別ＩＤを入場者リストに登録する手段と、
退場しようとするユーザの携帯する携帯端末の個別ＩＤが、入場ユーザリストに登録されてない場合、出入口とは別のルートから入場したユーザが退場しようとしているとして、異常とする手段と、
退場しようとするユーザの携帯する携帯端末の個別ＩＤが、入場ユーザリストに登録されている場合、退場しようとするユーザを退場させて、この個別ＩＤを入場者リストから削除する手段とを備えることを特徴とする請求項１に記載の入場者管理システムとしたものである。
【００１２】
また請求項３の発明では、施設内部に存在する携帯端末の個別ＩＤを検出する手段と、
入場者ユーザリストに登録されていない携帯端末の個別ＩＤが検出された場合、出入口とは別のルートから入場したユーザが居るとして、異常とする手段とを備えることを特徴とする請求項２に記載の入場者管理システムとしたものである。
【００１３】
また請求項４の発明では、施設内部に存在する携帯端末の個別ＩＤを検出する手段と、
入場者ユーザリストに登録されている携帯端末の個別ＩＤが検出されない場合、不正な退場をしたユーザが居るとして、異常とする手段とを備えることを特徴とする請求項２に記載の入場者管理システムとしたものである。
【発明の効果】
【００１４】
請求項１の発明では、ユーザに携帯されていない携帯端末と、ユーザが携帯端末を携帯していないユーザとが発見でき、これらが発見されると入退場が停止されるという効果がある。
【００１５】
請求項２の発明では、請求項１の発明の効果に加えて、入場資格の無いユーザと、偽造された個別ＩＤを持つ携帯端末を携帯するユーザの入場を阻止し、出入口とは別のルートから入場したユーザの退場を阻止できるという効果がある。
【００１６】
請求項３の発明では、請求項１及び２の効果に加えて、出入口とは別のルートから入場したユーザを発見でき、これが発見されると入退場が停止されるという効果がある。
【００１７】
請求項４の発明では、請求項１及び２の効果に加えて、不正な退場をしたユーザを発見でき、これが発見されると入退場が停止されるという効果がある。
【００１８】
以上、本発明は、建物や部屋などの施設の内部を、厳密に、セキュアな空間にできると
いう効果がある。
【発明を実施するための最良の形態】
【００１９】
以下に、本発明の一実施形態を説明する。
１．構成
本実施形態に係わるシステムの構成例を、図１に示す。
【００２０】
本実施形態では、図１に示すように、建物や部屋などの施設に、施設の出入口として、施設外部からは外部ドア１２で隔てられ、施設内部からは内部ドア１３で隔てられた空間（玄関という）を設ける。
【００２１】
施設外部の外部ドア１２の近辺には、電波送受信機器７が設置されている。
【００２２】
玄関、施設内部それぞれには、電波送受信装置７と、人体検出センサ１０とが、各所に設置されている。
【００２３】
外部ドア１２と、内部ドア１３とは、それぞれサーバマシン３に接続されており、サーバマシン３からの指令によって、施錠、解錠、開閉がなされる。尚、手動にて各ドアが開閉される場合には、サーバマシン３は、施錠、解錠の指令を行う。
【００２４】
また、施設外部の外部ドア１２の近辺、玄関、施設内部、それぞれに設置された各電波送受信装置７も、サーバマシン３に接続されている。
【００２５】
また、玄関、施設内部、それぞれに設置された各人体検知センサ１０も、サーバマシン３に接続されている。
【００２６】
さらに、サーバマシン３には、入力用端末５が接続されており、この入力用端末５には、電波送受信装置７が接続されている。
【００２７】
サーバマシン３は、登録ユーザリストをデータベース１で保管し、入場者ユーザリストをデータベース２で保管する。
【００２８】
登録ユーザリストは、施設内部に入場する資格を有するユーザのリストである。登録ユーザリストには、施設内部に入場する資格を有する各ユーザの所持する携帯端末の個別ＩＤと氏名などのユーザ情報とが登録されている。登録ユーザリストを常に最新のものとするメンテナンスは、入力用端末５を用いて、システム運用者４が行う。
【００２９】
入場ユーザリストは、登録ユーザリストに登録されているユーザの中で、実際に施設内部に入場しているユーザのリストである。入場ユーザリストには、実際に施設内部に入場しているユーザの携帯する携帯端末の個別ＩＤが登録されている。
【００３０】
施設内部に入場する資格を有するユーザ９は、携帯端末６を所持する。この携帯端末６は、例えば、携帯電話機でも良し、ＩＣカードやＩＣタグでも良い。
【００３１】
携帯端末６は、個々の携帯端末６を識別する個別ＩＤを持っている。
【００３２】
電波送受信機器７は、常に自分の位置情報（エリア番号）を携帯端末６に向けて、電波８で知らせている。携帯端末６が携帯電話機である場合、この位置情報（エリア番号）は、音声とは別のチャンネルで送られる。
【００３３】
携帯端末６は、この位置情報（エリア番号）を受け取ると、このエリア番号と、携帯端末６の個別ＩＤとを、電波８で電波送受信機器７に送り返す。
【００３４】
携帯端末６から電波送受信機７に送り返された個別ＩＤとエリア番号とは、サーバマシン３に送られる。サーバマシン３は、これら個別ＩＤとエリア番号とを、ホームメモリーと呼ばれるデータベースで管理することにより、施設外部の外部ドア１２の近辺、玄関、施設内部、それぞれに存在する携帯端末６の個別ＩＤ及び位置を検出する。
【００３５】
人体検知センサ１０は、人体の体温から発せられる特定の赤外線１１を検知するセンサである。検知結果は、人体検知センサ１０からサーバマシン３に送られることにより、サーバマシン３は、玄関、施設内部、それぞれに存在するユーザの位置を検出する。
【００３６】
本明細書では、施設内部（又は玄関）の各所に配置されている電波送受信機器７と人体検知センサ１０とにより、サーバマシン３が、施設内部（又は玄関）に存在する携帯端末６の個別ＩＤ及び位置を検出すると同時に、施設内部（又は玄関）に存在するユーザの位置を検出することを、施設内部（又は玄関）をスキャンニングすると云う。
２．処理
以下に、施設内部をセキュアな空間にするために、本実施形態に係わるシステムが行う種々の処理の例を説明する。
２．１．登録ユーザリストのメンテナンス
ここでは、登録ユーザリストを常に最新のものとするメンテナンスに係わる処理の例として、登録ユーザリストへのユーザの新規登録、登録ユーザリストに登録されているユーザ情報の更新、登録ユーザリストからのユーザの削除を順に説明する。
【００３７】
まず、以下に、登録ユーザリストへのユーザの新規登録に係わる処理の例を、図２のフローチャートに従って説明する。
Ｓ（ＳＴＥＰ）１；
システム運用者は、入力用端末に接続されている電波送受信機器に、新規登録するユーザの所持する携帯端末から電波を受信させ、この携帯端末の個別ＩＤを入力用端末に取得させる。
Ｓ（ＳＴＥＰ）２；
システム運用者は、入力用端末にて、取得した個別ＩＤを、登録ユーザリストから検索する。
Ｓ（ＳＴＥＰ）３；
検索の結果、取得した個別ＩＤが、登録ユーザリストに既登録ならば、異常であるとして、エラー処理が行われる。
【００３８】
他方、検索の結果、取得した個別ＩＤが、登録ユーザリストに未登録ならば、ＳＴＥＰ４に進む。
Ｓ（ＳＴＥＰ）４；
システム運用者は、入力用端末にて、取得した個別ＩＤを、登録ユーザリストに新規に登録する。
Ｓ（ＳＴＥＰ）５；
システム運用者は、新規登録するユーザのユーザ情報を、入力用端末に入力する。
Ｓ（ＳＴＥＰ）６；
システム運用者は、入力用端末にて、新規登録するユーザのユーザ情報を、登録ユーザリストに新規に登録する。
Ｓ（ＳＴＥＰ）７；
システム運用者は、入力用端末に表示される登録内容を確認し、ＯＫならば、処理を終了する。
【００３９】
次に、以下に、登録ユーザリストに登録されているユーザ情報の更新に係わる処理の例を、図３のフローチャートに従って説明する。
Ｓ（ＳＴＥＰ）１；
システム運用者は、入力用端末に接続されている電波送受信機器に、ユーザ情報を更新するユーザの所持する携帯端末から電波を受信させ、この携帯端末の個別ＩＤを入力用端末に取得させる。
Ｓ（ＳＴＥＰ）２；
システム運用者は、入力用端末にて、取得した個別ＩＤを、登録ユーザリストから検索する。
Ｓ（ＳＴＥＰ）３；
検索の結果、取得した個別ＩＤが、登録ユーザリストに既登録ならば、ＳＴＥＰ４に進む。
【００４０】
他方、検索の結果、取得した個別ＩＤが、登録ユーザリストに未登録ならば、異常であるとして、エラー処理が行われる。
Ｓ（ＳＴＥＰ）４；
システム運用者は、更新するユーザ情報を、入力用端末に入力する。
Ｓ（ＳＴＥＰ）５；
システム運用者は、入力用端末にて、取得した個別ＩＤを有するユーザの、登録ユーザリストにおけるユーザ情報を、入力したユーザ情報に更新する。
Ｓ（ＳＴＥＰ）６；
システム運用者は、入力用端末に表示される更新内容を確認し、ＯＫならば、処理を終了する。
【００４１】
最後に、以下に、登録ユーザリストからのユーザの削除に係わる処理の例を、図４のフローチャートに従って説明する。
Ｓ（ＳＴＥＰ）１；
システム運用者は、入力用端末に接続されている電波送受信機器に、削除するユーザの所持する携帯端末から電波を受信させ、この携帯端末の個別ＩＤを入力用端末に取得させる。
Ｓ（ＳＴＥＰ）２；
システム運用者は、入力用端末にて、取得した個別ＩＤを有するユーザのユーザ情報を、登録ユーザリストから削除する。
Ｓ（ＳＴＥＰ）３；
システム運用者は、入力用端末にて、取得した個別ＩＤを、登録ユーザリストから削除する。
【００４２】
尚、システム運用者が、入力用端末に接続されている電波送受信機器に、削除するユーザの所持する携帯端末から電波を受信させて、この携帯端末の個別ＩＤを入力用端末に取得させなくても、システム運用者が、登録ユーザリストから所望のユーザ情報を削除できるように、データベース１は構成してある。
２．２．ドアの開閉処理
ここでは、施設外部から玄関を経て施設内部に入場する場合、或は施設内部から玄関を経て施設外部に退場する場合になされるドアの開閉処理を説明する。このドアの開閉処理は、次の２つのことを前提とする。
【００４３】
第１に、外部ドアと内部ドアとが同時に解除されることはない。
【００４４】
第２に、後述する施設内部でのチェック処理により異常が発生した場合、入退場の何れ
もできないように、外部ドアも内部ドアも閉じて施錠されるので、ドアの開閉処理はなされない。
【００４５】
まず、以下に、施設外部から玄関を経て施設内部に入場する場合になされるドアの開閉処理の例を、図６を参照しながら、図５のフローチャートに従って説明する。
Ｓ（ＳＴＥＰ）１；
初期状態として、玄関内には誰も居らず、外部ドアも内部ドアも閉まっており、しかも施錠されている状態にする。
Ｓ（ＳＴＥＰ）２；
図６の（Ａ）に示すように、施設外部から外部ドアに、一人又は複数のユーザが近付くと、施設外部の外部ドアの近辺に設置されている電波送受信機器が、各ユーザの所持する携帯端末から電波を受信し、各ユーザの所持する携帯端末の個別ＩＤを、サーバマシンに取得させる。
Ｓ（ＳＴＥＰ）３；
サーバマシンは、取得した各個別ＩＤが、登録ユーザリストに登録されているか否かを確認する。
【００４６】
取得した各個別ＩＤの何れかが、登録ユーザリストに登録されて無ければ、ＳＴＥＰ４に進む。
【００４７】
他方、取得した各個別ＩＤが、全て、登録ユーザリストに登録されていれば、ＳＴＥＰ５に進む。
Ｓ（ＳＴＥＰ）４；
外部ドアを解錠せず閉じたままにして、ＳＴＥＰ１に戻る。
Ｓ（ＳＴＥＰ）５；
図６の（Ｂ）に示すように、サーバマシンは、外部ドアを解錠して開き、他方、内部ドアは解錠せず閉じたままにする。
Ｓ（ＳＴＥＰ）６；
取得した各個別ＩＤを有する携帯端末を携帯する各ユーザが玄関内に入ると、図６の（Ｃ）に示すように、外部ドアを閉じて施錠する。
Ｓ（ＳＴＥＰ）７；
サーバマシンは、玄関内の各所に設置の電波送受信機と人体検出センサとにより、玄関内をスキャンニングして、玄関に存在する携帯端末の個別ＩＤ及び位置を検出すると同時に、玄関に存在するユーザの位置を検出する。
Ｓ（ＳＴＥＰ）８；
玄関内のスキャンニングにより、携帯端末の個別ＩＤ及び位置、又はユーザの位置を検出できたのであれば、ＳＴＥＰ９に進む。
【００４８】
他方、携帯端末の個別ＩＤ及び位置、又はユーザの位置の何れも検出できなかったのであれば、ＳＴＥＰ１に戻る。
Ｓ（ＳＴＥＰ）９；
サーバマシンは、検出された携帯端末の個別ＩＤ及び位置とユーザの位置とに基づいて、後述する玄関内でのチェック処理（図８参照）を行う。
Ｓ（ＳＴＥＰ）１０；
玄関内でのチェック処理の結果がＯＫの場合、サーバマシンは、図６の（Ｄ）に示すように、内部ドアを解錠して開く。
【００４９】
玄関内でのチェック処理の結果が異常の場合、サーバマシンは、図６の（Ｅ）に示すように、外部ドアを解錠して開く。
Ｓ（ＳＴＥＰ）１１；
玄関からユーザが全員出たら、サーバマシンは、玄関内でのチェック処理の結果がＯＫの場合は内部ドアを閉じて施錠し、玄関内でのチェック処理の結果が異常の場合は外部ドアを閉じて施錠し、ＳＴＥＰ１に戻る。
【００５０】
尚、玄関内にユーザが一人でも居る間は、サーバマシンは、玄関内でのチェック処理の結果がＯＫの場合は内部ドアを開いたままにし、玄関内でのチェック処理の結果が異常の場合は外部ドアを開いたままにする。そして、玄関内にユーザが一人でも一定時間以上居る場合には、ユーザに玄関から早く出るように警告する。この警告は、例えば、スピカーから流れる音声でなされても良い。
【００５１】
次に、以下に、施設内部から玄関を経て施設外部に退場する場合になされるドアの開閉処理の例を、図７を参照しながら、図５のフローチャートに従って説明する。
Ｓ（ＳＴＥＰ）１；
初期状態として、玄関内には誰も居らず、外部ドアも内部ドアも閉まっており、しかも施錠されている状態にする。
Ｓ（ＳＴＥＰ）２；
図７の（Ａ）に示すように、施設内部から内部ドアに、一人又は複数のユーザが近付くと、施設内部の内部ドアの近辺に設置されている電波送受信機器が、各ユーザの携帯する携帯端末から電波を受信し、各ユーザの携帯する携帯端末の個別ＩＤを、サーバマシンに取得させる。
Ｓ（ＳＴＥＰ）３；
サーバマシンは、取得した各個別ＩＤが、登録ユーザリストに登録されているか否かを確認する。
【００５２】
取得した各個別ＩＤの何れかが、登録ユーザリストに登録されて無ければ、ＳＴＥＰ４に進む。
【００５３】
他方、取得した各個別ＩＤが、全て、登録ユーザリストに登録されていれば、ＳＴＥＰ５に進む。
Ｓ（ＳＴＥＰ）４；
内部ドアを解錠せず閉じたままにし、ＳＴＥＰ１に戻る。
Ｓ（ＳＴＥＰ）５；
図７の（Ｂ）に示すように、サーバマシンは、内部ドアを解錠して開き、他方、外部ドアは解錠せず閉じたままにする。
Ｓ（ＳＴＥＰ）６；
取得した各個別ＩＤを有する携帯端末を携帯する各ユーザが玄関内に入ると、図７の（Ｃ）に示すように、内部ドアを閉じて施錠する。
Ｓ（ＳＴＥＰ）７；
サーバマシンは、玄関内の各所に設置の電波送受信機と人体検出センサとにより、玄関内をスキャンニングして、玄関に存在する携帯端末の個別ＩＤ及び位置を検出すると同時に、玄関に存在するユーザの位置を検出する。
Ｓ（ＳＴＥＰ）８；
玄関内のスキャンニングにより、携帯端末の個別ＩＤ及び位置、又はユーザの位置を検出できたのであれば、ＳＴＥＰ９に進む。
【００５４】
他方、携帯端末の個別ＩＤ及び位置、又はユーザの位置の何れも検出できなかったのであれば、ＳＴＥＰ１に戻る。
Ｓ（ＳＴＥＰ）９；
サーバマシンは、検出された携帯端末の個別ＩＤ及び位置とユーザの位置とに基づいて、後述する玄関内でのチェック処理（図８参照）を行う。
Ｓ（ＳＴＥＰ）１０；
玄関内でのチェック処理の結果がＯＫの場合、サーバマシンは、図７の（Ｄ）に示すように、外部ドアを解錠して開く。
【００５５】
玄関内でのチェック処理の結果が異常の場合、サーバマシンは、図７の（Ｅ）に示すように、内部ドアを解錠して開く。
Ｓ（ＳＴＥＰ）１１；
玄関からユーザが全員出たら、サーバマシンは、玄関内でのチェック処理の結果がＯＫの場合は外部ドアを閉じて施錠し、玄関内でのチェック処理の結果が異常の場合は内部ドアを閉じて施錠し、ＳＴＥＰ１に戻る。
【００５６】
尚、玄関内にユーザが一人でも居る間は、サーバマシンは、玄関内でのチェック処理の結果がＯＫの場合は外部ドアを開いたままにし、玄関内でのチェック処理の結果が異常の場合は内部ドアを開いたままにする。そして、玄関内にユーザが一人でも一定時間以上居る場合には、ユーザに玄関から早く出るように警告する。この警告は、例えば、スピカーから流れる音声でなされても良い。
【００５７】
最後に、以下に、玄関内のスキャンニングにより検出された携帯端末の個別ＩＤ及び位置とユーザの位置とに基づいてなされる、玄関内でのチェック処理を、図８のフローチャートに従って説明する。
Ｓ（ＳＴＥＰ）１；
サーバマシンは、玄関内に、ユーザに携帯されていない携帯端末が存在するか否かを確かめる。ここで、ユーザに携帯されていない携帯端末とは、この携帯端末の位置に、ユーザが存在しないことを意味する。
【００５８】
ユーザに携帯されていない携帯端末が存在するならば、異常とする。
【００５９】
他方、ユーザに携帯されていない携帯端末が存在しないならば、ＳＴＥＰ２に進む。
Ｓ（ＳＴＥＰ）２；
サーバマシンは、玄関内に、携帯端末を携帯しないユーザが居るか否かを確かめる。ここで、携帯端末を携帯しないユーザとは、このユーザの位置に、携帯端末が存在しないことを意味する。
【００６０】
携帯端末を携帯しないユーザが居るならば、異常とする。
【００６１】
他方、携帯端末を携帯しないユーザが居ないならば、ＳＴＥＰ３に進む。
Ｓ（ＳＴＥＰ）３；
サーバマシンは、玄関内に居る各ユーザが、入場者であるか、或は退場者であるかを確かめる。但し、一番最後に開いたドアが、外部ドアのときは入場者とし、内部ドアのときは退場者とする。
【００６２】
入場者であれば、ＳＴＥＰ４に進む。
【００６３】
他方、退場者であれば、ＳＴＥＰ７に進む。
Ｓ（ＳＴＥＰ）４；
サーバマシンは、玄関内のスキャンニングにより検出された各携帯端末の個別ＩＤは、登録ユーザリストに登録されているか否かを確かめる。
【００６４】
玄関内のスキャンニングにより検出された各携帯端末の個別ＩＤの何れかが、登録ユーザリストに登録されて無いのであれば、入場資格の無いユーザの携帯電話を携帯する不正
ユーザが発見されたとして、異常とする。
【００６５】
他方、玄関内のスキャンニングにより検出された各携帯端末の個別ＩＤが、全て、登録ユーザリストに登録されているならば、ＳＴＥＰ５に進む。
Ｓ（ＳＴＥＰ）５；
サーバマシンは、玄関内のスキャンニングにより検出された各携帯端末の個別ＩＤは、入場ユーザリストに登録されているか否かを確かめる。
【００６６】
玄関内のスキャンニングにより検出された各携帯端末６の個別ＩＤの何れかが、入場ユーザリストに登録されているのであれば、偽造された個別ＩＤを持つ携帯端末を携帯する不正ユーザが発見されたとして、異常とする。
【００６７】
他方、玄関内のスキャンニングにより検出された各携帯端末６の個別ＩＤが、全て、入場ユーザリストに登録されていないならば、ＳＴＥＰ６に進む。
Ｓ（ＳＴＥＰ）６；
サーバマシンは、玄関内のスキャンニングにより検出された各携帯端末の個別ＩＤを、入場ユーザリストに登録して、ＯＫとする。
Ｓ（ＳＴＥＰ）７；
サーバマシンは、玄関内のスキャンニングにより検出された各携帯端末の個別ＩＤは、入場ユーザリストに登録されているか否かを確かめる。
【００６８】
玄関内のスキャンニングにより検出された各携帯端末の個別ＩＤの何れかが、入場ユーザリストに登録されていないのであれば、玄関以外の別ルートから入場した不正ユーザが発見されたとして、異常とする。
【００６９】
他方、玄関内のスキャンニングにより検出された各携帯端末６の個別ＩＤが、全て、入場ユーザリストに登録されているならば、ＳＴＥＰ８に進む。
Ｓ（ＳＴＥＰ）８；
サーバマシンは、玄関内のスキャンニングにより検出された各携帯端末の個別ＩＤを、入場ユーザリストから削除して、ＯＫとする。
２．３．施設内部でのチェック処理
ここでは、施設内部でのチェック処理を説明する。この施設内部でのチェック処理は、次の２つのことを前提とする。
【００７０】
第１に、一定時間間隔毎に、施設内部でのチェック処理を行う。
【００７１】
第２に、施設内部でのチェック処理により異常が発生した場合、入退場の何れもできないように、外部ドアも内部ドアも閉じて施錠される。
【００７２】
以下に、施設内部でのチェック処理の例を、図９のフローチャートに従って説明する。Ｓ（ＳＴＥＰ）１；
サーバマシンは、施設内部の各所に設置の電波送受信機と人体検出センサとにより、施設内部をスキャンニングして、施設内部に存在する携帯端末の個別ＩＤ及び位置とを検出すると同時に、施設内部に存在するユーザの位置を検出する。
Ｓ（ＳＴＥＰ）２；
サーバマシンは、施設内部に、ユーザに携帯されていない携帯端末が存在するか否かを確かめる。ここで、ユーザのいない携帯端末とは、この携帯端末と同じ位置に、ユーザが存在しないことを意味する。
【００７３】
ユーザに携帯されていない携帯端末が存在するならば、異常とする。
【００７４】
他方、ユーザに携帯されていない携帯端末が存在しないならば、ＳＴＥＰ３に進む。
Ｓ（ＳＴＥＰ）３；
サーバマシンは、施設内部に、携帯端末を携帯しないユーザが居るか否かを確かめる。ここで、携帯端末を携帯しないユーザとは、このユーザと同じ位置に、携帯端末が存在しないことを意味する。
【００７５】
携帯端末を携帯しないユーザが居るならば、異常とする。
【００７６】
他方、携帯端末を携帯しないユーザが居ないのならば、ＳＴＥＰ４に進む。
Ｓ（ＳＥＴＰ）４；
サーバマシンは、施設内部のスキャンニングにより検出された各携帯端末の個別ＩＤは、入場ユーザリストに登録されているか否かを確かめる。
【００７７】
施設内部のスキャンニングにより検出された各携帯端末の個別ＩＤの何れかが、入場ユーザリストに登録されて無いのであれば、玄関以外の別ルートから入場した不正ユーザが発見されたとして、異常とする。
【００７８】
他方、玄関内のスキャンニングにより検出された各携帯端末の個別ＩＤが、全て、入場ユーザリストに登録されているならば、ＳＴＥＰ５に進む。
Ｓ（ＳＴＥＰ）５；
サーバマシンは、入場ユーザリストに登録されている各個別ＩＤが、施設内部のスキャンニングにより検出された否かを確かめる。
【００７９】
入場ユーザリストに登録されている個別ＩＤの何れかが、施設内部のスキャンニングにより検出されなかったのであれば、不正な退場をしたユーザが発見されたとして、異常とする。
【００８０】
他方、入場ユーザリストに登録されている個別ＩＤが、全て、施設内部のスキャンニングにより検出されたならば、ＯＫとする。
【図面の簡単な説明】
【００８１】
【図１】本実施形態に係わるシステムの構成例を示す図。
【図２】登録ユーザリストへのユーザの新規登録に係わる処理の例を示すフローチャート。
【図３】登録ユーザリストに登録されているユーザ情報の更新に係わる処理の例を示すフローチャート。
【図４】登録ユーザリストからのユーザの削除に係わる処理の例を示すフローチャート。
【図５】ドアの開閉処理の例を示すフローチャート。
【図６】施設外部から玄関を経て施設内部に入場する場合のドアの開閉例を説明する図。
【図７】施設内部から玄関を経て施設外部に退場する場合のドアの開閉例を説明する図。
【図８】玄関内でのチェック処理の例を説明するフローチャート。
【図９】施設内部でのチェック処理の例を説明するフローチャート。
【符号の説明】
【００８２】
１…データベース
２…データベース
３…サーバマシン
４…システム運用者
５…入力用端末
６…携帯端末
７…電波送受信機器
８…電波
９…ユーザ
１０…人体検知センサ
１１…赤外線
１２…外部ドア
１３…内部ドア
【図１】
2005038269.tif 000003
【図２】
2005038269.tif 000004
【図３】
2005038269.tif 000005
【図４】
2005038269.tif 000006
【図５】
2005038269.tif 000007
【図６】
2005038269.tif 000008
【図７】
2005038269.tif 000009
【図８】
2005038269.tif 000010
【図９】
2005038269.tif 000011